(57)【特許請求の範囲】
【請求項１】
基地局が、第1の中継器をスケジュールするとき、前記第1の中継器が選択した最適なプリコーディングコードブックによって第2の中継器を選択するステップであって、前記第2の中継器が選択した最適なプリコーディングコードブックが、前記第1の中継器が選択した前記最適なプリコーディングコードブックに対して直交する、ステップと、
前記第1の中継器の制御チャネル情報および前記第2の中継器の制御チャネル情報を高速ダウンリンク共用制御チャネル(HS-SCCH)にカプセル化して、前記HS-SCCHをスクランブルするステップと、
前記スクランブルされたHS-SCCHを前記第1の中継器および前記第2の中継器に送るステップとを含む、制御チャネル情報を送る方法。
【請求項２】
前記HS-SCCHをスクランブルする前記ステップが、
前記第1の中継器の識別子情報および前記第2の中継器の識別子情報によって前記第1の中継器と前記第2の中継器の第1の結合識別子を取得するステップと、前記第1の結合識別子によって前記HS-SCCHをスクランブルするステップとを含む請求項1に記載の方法。
【請求項３】
前記第1の中継器の識別子情報および前記第2の中継器の識別子情報によって前記第1の中継器と前記第2の中継器の第1の結合識別子を取得する前記ステップが、
前記第1の中継器の前記識別子情報および前記第2の中継器の前記識別子情報に対して排他的論理和演算を遂行して、前記第1の中継器と前記第2の中継器の前記第1の結合識別子を取得するステップを含む請求項2に記載の方法。
【請求項４】
前記基地局によって、前記第2の中継器の前記識別子情報を前記第1の中継器に送るステップであって、その結果、前記第1の中継器が、前記第1の中継器の前記識別子情報および前記第2の中継器の前記識別子情報によって前記第1の結合識別子を計算して、前記スクランブルされたHS-SCCHを受け取った後に前記第1の結合識別子によって前記HS-SCCHをデスクランブルすることができる、ステップをさらに含む請求項2または3に記載の方法。
【請求項５】
前記基地局によって、前記第2の中継器の前記識別子情報を前記第1の中継器に送る前記ステップの前に、
前記第2の中継器の前記識別子情報を暗号化するステップをさらに含む請求項4に記載の方法。
【請求項６】
前記基地局が前記第1の中継器をスケジュールする前に、
前記基地局で、前記第1の中継器によってフィードバックされた最適なプリコーディングコードブック情報を受け取るステップと、前記第1の中継器の前記最適なプリコーディングコードブック情報によって前記第1の中継器の直交する中継器の組を取得するステップと、前記第1の中継器の前記直交する中継器の組を前記第1の中継器に送るステップとさらに含み、その結果、前記第1の中継器が、前記直交する中継器の組の中継器の識別子情報によって第2の結合識別子の情報を取得することができ、また、前記スクランブルされたHS-SCCHを受け取った後に前記第2の結合識別子によって前記HS-SCCHをデスクランブルすることができる請求項1から5のいずれか一項に記載の方法。
【請求項７】
第1の中継器で、基地局が送った高速ダウンリンク共用制御チャネル(HS-SCCH)を受け取るステップであって、前記第1の中継器の制御チャネル情報および第2の中継器の制御チャネル情報が前記HS-SCCHにカプセル化され、前記第2の中継器が選択した最適なプリコーディングコードブックが、前記第1の中継器が選択した最適なプリコーディングコードブックと直交する、ステップと、
前記第1の中継器で前記HS-SCCHをデスクランブルして、前記第1の中継器の前記制御チャネル情報を取得するステップとを含む、制御チャネル情報を受け取る方法。
【請求項８】
前記HS-SCCHが、スクランブルするために前記第1の中継器と前記第2の中継器の第1の結合識別子を用いるとき、
前記基地局がブロードキャストした前記第2の中継器の識別子情報を前記第1の中継器で受け取るステップと、前記第1の中継器の前記識別子情報および前記第2の中継器の前記識別子情報によって、前記第1の中継器と前記第2の中継器の前記第1の結合識別子を取得するステップとをさらに含み、
前記第1の中継器で前記HS-SCCHをデスクランブルして、前記第1の中継器の前記制御チャネル情報を取得するステップが、
前記第1の中継器で、前記第1の結合識別子によって前記HS-SCCHをデスクランブルして、前記第1の中継器の前記制御チャネル情報を取得するステップを含む請求項7に記載の方法。
【請求項９】
前記HS-SCCHが、スクランブルするために前記第1の中継器と前記第2の中継器の第1の結合識別子を用いるとき、
前記第1の中継器で、前記第1の中継器の最適なプリコーディングコードブック情報を前記基地局にフィードバックするステップであって、その結果、前記基地局が、前記第1の中継器の前記最適なプリコーディングコードブック情報によって前記第1の中継器の直交する中継器の組を取得する、ステップと、
前記基地局が送った前記第1の中継器の前記直交する中継器の組を前記第1の中継器で受け取って、前記直交する中継器の組の中継器の識別子情報によって第2の結合識別子の情報を取得するステップとをさらに含み、
前記第1の中継器で前記HS-SCCHをデスクランブルする前記ステップが、
前記第1の中継器で、前記第2の結合識別子によって前記HS-SCCHをデスクランブルするステップを含む請求項7に記載の方法。
【請求項１０】
基地局が第1の中継器をスケジュールするとき、前記第1の中継器が選択した最適なプリコーディングコードブックによって第2の中継器を選択するように構成されている選択モジュールであって、前記第2の中継器が選択した最適なプリコーディングコードブックが、前記第1の中継器が選択した前記最適なプリコーディングコードブックに対して直交する、選択モジュールと、
前記第1の中継器の制御チャネル情報および前記第2の中継器の制御チャネル情報を高速ダウンリンク共用制御チャネル(HS-SCCH)にカプセル化して、前記HS-SCCHをスクランブルするように構成されているカプセル化モジュールと、
前記スクランブルされたHS-SCCHを前記第1の中継器および前記第2の中継器に送るように構成されている送信モジュールとを備える基地局。
【請求項１１】
前記カプセル化モジュールが、
前記第1の中継器の識別子情報および前記第2の中継器の識別子情報によって前記第1の中継器と前記第2の中継器の第1の結合識別子を取得して、前記第1の結合識別子によって前記HS-SCCHをスクランブルするように構成されているスクランブルユニットを備える請求項10に記載の基地局。
【請求項１２】
前記スクランブルユニットが、
前記第1の中継器の前記識別子情報および前記第2の中継器の前記識別子情報に対して排他的論理和演算を遂行して、前記第1の中継器と前記第2の中継器の前記第1の結合識別子を取得するように構成されている計算サブユニットを備える請求項11に記載の基地局。
【請求項１３】
前記第2の中継器の前記識別子情報を前記第1の中継器に送るように構成されたブロードキャストモジュールであって、その結果、前記第1の中継器が、前記第1の中継器の前記識別子情報および前記第2の中継器の前記識別子情報によって前記第1の結合識別子を計算することができ、また、前記スクランブルされたHS-SCCHを受け取った後に前記第1の結合識別子によって前記HS-SCCHをデスクランブルすることができる、ブロードキャストモジュールをさらに備える請求項11または12に記載の基地局。
【請求項１４】
前記ブロードキャストモジュールが、前記第2の中継器の識別子情報を前記第1の中継器に送る前に、前記第2の中継器の前記識別子情報を暗号化するようにさらに構成されている請求項13に記載の基地局。
【請求項１５】
前記基地局が第1の前記中継器をスケジュールする前に、前記第1の中継器がフィードバックした最適なコーディングコードブック情報を受け取り、前記第1の中継器の前記最適なコードブック情報によって、前記第1の中継器の直交する中継器の組を取得するように構成されている受信モジュールをさらに備え、
前記送信モジュールが、前記第1の中継器の前記直交する中継器の組を前記第1の中継器に送るようにさらに構成されており、その結果、前記第1の中継器が、前記直交する中継器の組の中継器の識別子情報によって第2の結合識別子の情報を取得することができ、また、前記スクランブルされたHS-SCCHを受け取った後に前記第2の結合識別子によって前記HS-SCCHをデスクランブルすることができる請求項10から14のいずれか一項に記載の基地局。
【請求項１６】
基地局が送った高速ダウンリンク共用制御チャネル(HS-SCCH)を受け取るように構成されている受信モジュールであって、第1の中継器の制御チャネル情報および第2の中継器の制御チャネル情報が前記HS-SCCHにカプセル化され、前記第2の中継器が選択した最適なプリコーディングコードブックが、前記第1の中継器が選択した最適なプリコーディングコードブックと直交する、受信モジュールと、
前記HS-SCCHをデスクランブルして、前記第1の中継器の前記制御チャネル情報を取得するように構成されているデスクランブルモジュールとを備える第1の中継器。
【請求項１７】
前記HS-SCCHが、スクランブルするために前記第1の中継器と前記第2の中継器の第1の結合識別子を用いるとき、前記受信モジュールが、前記基地局がブロードキャストした前記第2の中継器の識別子情報を受け取って、前記第1の中継器の前記識別子情報および前記第2の中継器の前記識別子情報によって、前記第1の中継器と前記第2の中継器の前記第1の結合識別子を取得するようにさらに構成されており、
前記デスクランブルモジュールが、前記第1の結合識別子によって前記HS-SCCHをデスクランブルして前記第1の中継器の前記制御チャネル情報を取得するように特に構成されている請求項16に記載の中継器。
【請求項１８】
前記HS-SCCHが、スクランブルするために前記第1の中継器と前記第2の中継器の第1の結合識別子を用いるとき、前記第1の中継器が、
最適なプリコーディングコードブック情報を前記基地局にフィードバックするように構成されている送信モジュールであって、その結果、前記基地局が、前記第1の中継器の前記最適なプリコーディングコードブック情報によって前記第1の中継器の直交する中継器の組を取得する、送信モジュールをさらに含み、
前記受信モジュールが、前記基地局が送った前記第1の中継器の前記直交する中継器の組を受け取って、前記直交する中継器の組の中継器の識別子情報によって第2の結合識別子の情報を取得するようにさらに構成されており、
前記デスクランブルモジュールが、前記第2の結合識別子によって前記HS-SCCHをデスクランブルするように特に構成されている請求項16に記載の中継器。
【請求項１９】
制御チャネル情報を送受するシステムであって、請求項10から15のいずれか一項に記載の基地局と、請求項16から18のいずれか一項に記載の第1の中継器とを備えるシステム。
【発明の詳細な説明】
【技術分野】
【０００２】
本発明は、通信技術の分野に関し、詳細には、制御チャネル情報を送受するための方法、装置、およびシステムに関する。
【背景技術】
【０００３】
WCDMA(登録商標)(Wideband Code Division Multiple Access、広帯域符号分割多元接続)システムのダウンリンクは、HSDPA(High Speed Downlink Packet Access、高速ダウンリンクパケットアクセス)技術を用いて高速ダウンリンク伝送を提供する。WCDMA(登録商標)システムには中継器が導入され、これは、より高信頼の伝送およびより高いシステムスループットをもたらし、システムの有効範囲を効率よく改善することができる。複数の中継器の物理的位置が互いに遠く離れているので、基地局から異なる中継器へのチャネルが相互に関連しない。より高いスループット性能を達成するために基地局の複数のアンテナを使用し得るMU-MIMO(Multi-User Multiple-Input Multiple-Output、マルチユーザ多重入出力)伝送を遂行するために、複数の中継器から、優れた直交性を有する2つの中継器が選択される。
【０００４】
従来技術では、基地局は、2つの中継器に同時に対応するためにMU-MIMO技術を用いるとき、単一データブロックを伝送するのにType 3のHS-SCCH(Shared Control Channel for HS-DSCH、高速ダウンリンク共用制御チャネル)を使用し、2つのMU-MIMO中継器のHS-PDSCHの制御チャネル情報をそれぞれ伝送するのに2つのHS-SCCHを用いる。指定されたユーザが受信することができるように、HS-SCCHの情報が、指定されたユーザの識別子を用いてスクランブルされ、すなわち、2つのHS-SCCHが、スクランブルするのにそれぞれの中継器識別子を用いる。2つの中継器が、それぞれの制御チャネル情報を受け取った後に、制御チャネル情報をデスクランブルする。
【０００５】
基地局から2つの中継器へのMU-MIMO伝送が遂行されるとき、基地局は、2つの中継器の制御チャネル情報をそれぞれ伝送するのに、2つの独立したHS-SCCHを用いてよい。しかし、一方では、2つの中継器の制御チャネル情報が同じチャネライゼーションコードビットを含んでおり、2つのHS-SCCHを使用するとCRC(Cyclic Redundancy Check、巡回冗長検査)コードおよびメッセージヘッダなどのさらなるオーバヘッドをもたらすことがある。他方では、MU-MIMO中継器のすべての対が2つのHS-SCCHを用いるので、用いられるHS-SCCHが指数関数的に増加することになる。MU-MIMO中継器の2つのグループがスケジュールされる場合、4つのHS-SCCHが用いられる。この場合、制御チャネルはすべて占有されるが、データコードチャネルがまだ残っており、その結果、リソースの浪費が大きくなってスループットが低下する。MU-MIMO中継器の1つのグループをスケジュールする場合は、これと類似である。
【発明の概要】
【課題を解決するための手段】
【０００６】
従来技術におけるチャネルリソースの浪費およびスループットの低下の問題を解決するために、本発明の実施形態は、制御チャネル情報を送受するための方法、装置、およびシステムを提供する。技術的解決策は以下の通りである。
一態様では、制御チャネル情報を伝送するための方法が提供され、この方法は、
基地局が第1の中継器をスケジュールするとき、基地局で、第1の中継器が選択した最適なプリコーディングコードブックによって第2の中継器を選択するステップであって、第2の中継器が選択した最適なプリコーディングコードブックが、第1の中継器が選択した最適なプリコーディングコードブックと直交する、ステップと、
第1の中継器の制御チャネル情報および第2の中継器の制御チャネル情報を高速ダウンリンク共用制御チャネル(HS-SCCH)にカプセル化して、HS-SCCHをスクランブルするステップと、
スクランブルされたHS-SCCHを第1の中継器および第2の中継器に送るステップとを含む。
【０００７】
別の態様では、制御チャネル情報を受け取る方法が提供され、この方法は、
基地局が送った高速ダウンリンク共用制御チャネル(HS-SCCH)を第1の中継器で受け取るステップであって、第1の中継器の制御チャネル情報および第2の中継器の制御チャネル情報がHS-SCCHにカプセル化され、第2の中継器が選択した最適なプリコーディングコードブックが、第1の中継器が選択した最適なプリコーディングコードブックに直交する、ステップと、
第1の中継器でHS-SCCHをデスクランブルして、第1の中継器の制御チャネル情報を取得するステップとを含む。
【０００８】
別の態様では、
選択モジュールであって、基地局が第1の中継器をスケジュールするとき、第1の中継器が選択した最適なプリコーディングコードブックによって第2の中継器を選択するように構成されている選択モジュールであって、第2の中継器が選択した最適なプリコーディングコードブックが、第1の中継器が選択した最適なプリコーディングコードブックに対して直交する、選択モジュールと、
第1の中継器の制御チャネル情報および第2の中継器の制御チャネル情報を高速ダウンリンク共用制御チャネル(HS-SCCH)にカプセル化して、HS-SCCHをスクランブルするように構成されているカブセル化モジュールと、
スクランブルされたHS-SCCHを第1の中継器および第2の中継器に送るように構成された送信モジュールとを含んでいる基地局が提供される。
【０００９】
別の態様では、
基地局が送った高速ダウンリンク共用制御チャネル(HS-SCCH)を受け取るように構成されている受信モジュールであって、第1の中継器の制御チャネル情報および第2の中継器の制御チャネル情報がHS-SCCHにカプセル化され、第2の中継器が選択した最適なプリコーディングコードブックが、第1の中継器が選択した最適なプリコーディングコードブックと直交する、受信モジュールと、
HS-SCCHをデスクランブルして、第1の中継器の制御チャネル情報を取得するように構成されているデスクランブルモジュールとを含んでいる第1の中継器が提供される。
【００１０】
別の態様では、制御チャネル情報を送受するシステムが提供され、このシステムは、上記の基地局および上記の第1の中継器を含む。
【００１１】
本発明の実施形態によって提供される技術的解決策により、以下の有益な効果が提供される。基地局が2つの中継器に関する伝送を遂行するとき、1つのHS-SCCHが2つの中継器に対応することにより、限定されたHS-SCCHの占有が低減される。2つの中継器のいずれかが1つのHS-SCCHを使用するモードと比較して、限定されたHS-SCCHによるデータコードチャネルの浪費がうまく低減され、したがってシステムスループットが改善される。
【００１２】
本発明の実施形態の技術的解決策をより明瞭に説明するために、以下は、本発明の実施形態を説明するのに必要な添付図面について簡単に紹介する。明らかに、以下の説明における添付図面は、本発明のいくつかの実施形態を示すのみであり、当業者なら、創造的な努力をしなくても、やはりこれらの添付図面から他の図面を導出し得る。
【図面の簡単な説明】
【００１３】
【図１】本発明の一実施形態によって制御チャネル情報を送る方法のフローチャートである。
【図２】本発明の一実施形態によって制御チャネル情報を受け取る方法のフローチャートである。
【図３】本発明の一実施形態によって制御チャネル情報を伝送する方法のフローチャートである。
【図４】本発明の一実施形態による中継器の配置の概略図である。
【図５】本発明の一実施形態による搬送波の割当ての概略図である。
【図６】本発明の別の実施形態による基地局の概略図である。
【図７】本発明の別の実施形態による別の基地局の概略図である。
【図８】本発明の別の実施形態による第1の中継器の概略図である。
【図９】本発明の別の実施形態による別の第1の中継器の概略図である。
【図１０】本発明の一実施形態によって制御チャネル情報を送受するシステムの概略図である。
【発明を実施するための形態】
【００１４】
本発明の目的、技術的解決策、および利点をより分かりやすくするために、本発明の実施形態を、添付図面を参照しながら、以下でさらに詳細に説明する。
【００１５】
WCDMA(登録商標)システムでは、データはHS-PDSCH(High Speed Physical Downlink Shared Channel、高速フィジカルダウンリンク共有チャネル)で伝送され、一方、拡散コード、変調、コーディング、およびデータチャネルのHARQなどの制御チャネル情報は、対応するHS-SCCHで伝送される。HS-SCCHは、一定の拡散係数および変調方式を用い、拡散係数が16の拡散コードチャネルを、パイロットチャネル、共通の制御チャネル、およびページング指標チャネルなどの他の共通チャネルと共有する。この場合、システムのスケジューリング期間内に与えられるHS-SCCHの数は制限される。
【００１６】
TS 25.212により、非MIMOモードにおける非type2 UEの伝送に用いられるtype1、HS-SCCH-lessモードに用いられるtype2、MIMOモードにおけるUEの構成に用いられるtype3、および信号伝達(bearing signaling)に用いられるtype4の4つのタイプのHS-SCCHが指定されている。type3のHS-SCCHは、変調、コーディング、データブロックサイズ、およびデータチャネルのプリコーディングなどの情報を含んでおり、1つのデータストリームだけの情報を伝送してよく、または2つのデータストリームの情報を伝送してもよい。
【００１７】
図1を参照すると、この実施形態は、制御チャネル情報を伝送する方法を提供するものであり、この方法は、下記を含む。
101. 基地局が、第1の中継器をスケジュールするとき、第1の中継器が選択した最適なプリコーディングコードブックによって第2の中継器を選択し、第2の中継器が選択した最適なプリコーディングコードブックが、第1の中継器が選択した最適なプリコーディングコードブックに対して直交する。
102. 第1の中継器の制御チャネル情報および第2の中継器の制御チャネル情報を高速ダウンリンク共用制御チャネルHS-SCCHにカプセル化して、HS-SCCHをスクランブルする。
103. スクランブルされたHS-SCCHを第1の中継器および第2の中継器に送る。
【００１８】
この実施形態では、HS-SCCHをスクランブルするステップは、好ましくは、
第1の中継器の識別子情報および第2の中継器の識別子情報によって第1の中継器と第2の中継器の第1の結合識別子を取得するステップと、第1の結合識別子によってHS-SCCHをスクランブルするステップとを含む。
【００１９】
第1の中継器の識別子情報および第2の中継器の識別子情報によって第1の中継器と第2の中継器の第1の結合識別子を取得するステップは、
第1の中継器の識別子情報および第2の中継器の識別子情報に対して排他的論理和演算を遂行して、第1の中継器と第2の中継器の第1の結合識別子を取得するステップを含む。
【００２０】
この実施形態の方法は、
基地局によって、第2の中継器の識別子情報を第1の中継器に送るステップをさらに含み、その結果、第1の中継器は、第1の中継器の識別子情報および第2の中継器の識別子情報によって第1の結合識別子を計算することができ、また、スクランブルされたHS-SCCHを受け取った後に第1の結合識別子によってHS-SCCHをデスクランブルすることができる。
【００２１】
この実施形態の方法は、任意選択で、基地局が第2の中継器の識別子情報を第1の中継器に送る前に、
第2の中継器の識別子情報を暗号化するステップをさらに含む。
【００２２】
任意選択で、この実施形態の方法は、基地局が第1の中継器をスケジュールする前に、
基地局で、第1の中継器によってフィードバックされた最適なプリコーディングコードブック情報を受け取るステップと、第1の中継器の最適なコードブック情報によって第1の中継器の直交する中継器の組を取得するステップと、第1の中継器の直交する中継器の組を第1の中継器に送るステップとをさらに含み、その結果、第1の中継器が、直交する中継器の組の中継器の識別子情報によって第2の結合識別子の情報を取得することができ、また、スクランブルされたHS-SCCHを受け取った後に第2の結合識別子によってHS-SCCHをデスクランブルすることができる。
【００２３】
本発明の実施形態の方法により、以下の有益な効果が提供される。基地局が2つの中継器に関する伝送を遂行するとき、1つのHS-SCCHが2つの中継器に対応することにより、限定されたHS-SCCHの占有が低減される。2つの中継器のいずれかが1つのHS-SCCHを使用するモードと比較して、限定されたHS-SCCHによるデータコードチャネルの浪費がうまく低減され、したがってシステムスループットが改善される。
【００２４】
図2を参照すると、この実施形態は、制御チャネル情報を受け取る方法を提供するものであり、この方法は、以下を含む。
201. 第1の中継器が、基地局が送った高速ダウンリンク共用制御チャネルHS-SCCHを受け取り、第1の中継器の制御チャネル情報および第2の中継器の制御チャネル情報がHS-SCCHにカプセル化され、第2の中継器が選択した最適なプリコーディングコードブックが、第1の中継器が選択した最適なプリコーディングコードブックと直交する。
202. 第1の中継器が、HS-SCCHをデスクランブルして、第1の中継器の制御チャネル情報を取得する。
【００２５】
好ましくは、この実施形態の方法は、HS-SCCHがスクランブルするために第1の中継器と第2の中継器の第1の結合識別子を用いるとき、
基地局がブロードキャストした第2の中継器の識別子情報を第1の中継器で受け取るステップと、第1の中継器の識別子情報および第2の中継器の識別子情報によって、第1の中継器と第2の中継器の第1の結合識別子を取得するステップとをさらに含む。
【００２６】
第1の中継器でHS-SCCHをデスクランブルして、第1の中継器の制御チャネル情報を取得するステップは、
第1の中継器で、第1の結合識別子によってHS-SCCHをデスクランブルして、第1の中継器の制御チャネル情報を取得するステップを含む。
【００２７】
任意選択で、この実施形態の方法は、HS-SCCHがスクランブルするために第1の中継器と第2の中継器の第1の結合識別子を用いるとき、
第1の中継器で、第1の中継器の最適なプリコーディングコードブック情報を基地局にフィードバックするステップであって、その結果、基地局が、第1の中継器の最適なプリコーディングコードブック情報によって第1の中継器の直交する中継器の組を取得する、ステップと、
基地局が送った第1の中継器の直交する中継器の組を第1の中継器で受け取って、直交する中継器の組の中継器の識別子情報によって第2の結合識別子の情報を取得するステップとをさらに含む。
【００２８】
第1の中継器でHS-SCCHをデスクランブルするステップは、
第1の中継器で、第2の結合識別子によってHS-SCCHをデスクランブルするステップを含む。
【００２９】
本発明の実施形態の方法により、以下の有益な効果が提供される。基地局が2つの中継器に関する伝送を遂行するとき、1つのHS-SCCHが2つの中継器に対応することにより、限定されたHS-SCCHの占有が低減される。第1の中継器および第2の中継器は、HS-SCCHを受け取った後にそれぞれHS-SCCHをデスクランブルして、対応する制御チャネル情報を取得する。2つの中継器のいずれかが1つのHS-SCCHを使用するモードと比較して、限定されたHS-SCCHによるデータコードチャネルの浪費がうまく低減され、したがってシステムスループットが改善される。
【００３０】
図3を参照して、この実施形態は、制御チャネル情報を送る方法を提供する。基地局は、MU-MIMO伝送を遂行するために複数の中継器から優れた直交性を有する2つの中継器を選択し、2つの中継器に対するMU-MIMO伝送を遂行するとき、type3のHS-SCCHを用いて、2つの中継器のHS-PDSCHチャネルの制御チャネル情報を伝送する。2つの中継器が必要情報を識別して復号化することを可能にするために、HS-SCCHの中継器識別子は2つの中継器の結合識別子であり、この方法は、以下を特に含む。
【００３１】
301. 基地局は、それぞれの中継器に他の中継器の識別子情報をブロードキャストし、それぞれの中継器によってフィードバックされた最適なプリコーディングコードブック情報を受け取って、それぞれの中継器の直交する中継器の組を取得する。
【００３２】
この実施形態では、好ましくは、基地局が、それぞれの中継器に他の中継器の識別子情報をブロードキャストする。システムが初期化されるとき、または新規の中継器が加わるとき、またはこの実施形態では特に限定されていない周期的起動中に、基地局は、他の中継器にそれぞれの中継器の識別子情報をブロードキャストしてよい。このようにして、それぞれの中継器が他の中継器の識別子情報を知り得て、次にHS-SCCHを受け取った後に、中継器の識別子情報および他の中継器の識別子情報によって結合コードをデスクランブルしてよい。
【００３３】
この実施形態では、好ましくは、他の装置の不法な傍受を回避するために、基地局は、それぞれの中継器の識別子情報を他の中継器にブロードキャストする前に、たとえば、それぞれの中継器に対して中継器の識別子情報を別個に送り、他の中継器識別子とその中継器識別子でXOR(排他的論理和)演算を遂行することにより、それぞれの中継器の識別子情報を暗号化する。このようにして、対象の中継器のみが、他の中継器識別子を取得するためにXOR演算を用いることができる。もちろん、XOR演算に加えて、この実施形態では特に限定されない他の暗号化モードが用いられてもよい。
【００３４】
この実施形態では、WCDMA(登録商標)システムにおける基地局のプリコーディング設計は、受信器ベースのコードブックフィードバックモードを用いる。TS 25.876は、4つの用いられるコードブックを与え、それぞれが、対応するコードブックに対して直交する。TS 25.876は従来技術の規格であり、この実施形態でさらに説明することはない。マルチアンテナのシステムでは、基地局はプリコーディング方法を用いることによって空間多重化利得を達成する。受信器ベースの最適なコードブックフィードバックは、量子化されたプリコーディング設計およびフィードバック方法である。コードブックは、実際にはプリコーディングコードブックであり、組になっている。最適なコードブックは、コードブックからルールに従って選択された最も優れたコードブックである。これは従来技術に属するものであり、この実施形態で詳細に説明することはない。この実施形態では、それぞれの中継器が、最大のスループットを達成することができるプリコーディングコードブックを選択し、かつ他の中継器も、それぞれの最適なコードブックを選択する。直交する中継器とは、2つの中継器で選択された最適なプリコーディングコードブックが直交することを意味する。それぞれの中継器が、その最適なプリコーディングコードブック情報をフィードバックし、基地局は、それぞれの中継器の最適なコードブックによってそれぞれの中継器の直交する中継器の組を求め、2つの中継器によってそれぞれ選択されたコードブックが直交する場合、2つの中継器が直交すると見なされる。WCDMA(登録商標)システムにおける単一のセクタが4つの中継器a、b、c、およびdを有すると想定すると、それぞれの中継器が最適なプリコーディングコードブックをフィードバックし、他の中継器が選択したコードブックと中継器が選択したコードブックの直交する中継器の組がT(a)とマークを付けられ、これには、可能性として中継器aを用いてMU-MIMOを遂行し得る中継器が含まれる。同様に、中継器b、c、およびdを用いてMU-MIMOを可能性として遂行し得る中継器の組は、T(b)、T(c)、およびT(d)である。基地局から中継器へのチャネルが比較的ゆっくりと変化するので、T(a)、T(b)、T(c)、およびT(d)は、長い期間にわたって変わらない。
【００３５】
302. 基地局は、第1の中継器をスケジュールするとき、第1の中継器が選択した最適なプリコーディングコードブックによって第2の中継器を選択する。
【００３６】
この実施形態では、基地局が、第1の中継器がフィードバックした最適なコーディングコードブック情報を受け取り、第1の中継器の最適なコードブック情報によって第1の中継器の直交する中継器の組を取得し、任意選択で、第1の中継器の直交する中継器の組を第1の中継器に送り、その結果、第1の中継器が、直交する中継器の組の中継器の識別子情報によって第2の結合識別子の情報を取得することができ、また、スクランブルされたHS-SCCHを受け取った後に第2の結合識別子によってHS-SCCHをデスクランブルすることができる。第2の結合識別子は、第1の中継器の直交する組の中の任意の中継器と第1の中継器の結合識別子でよい。この実施形態では、基地局は任意の中継器をスケジュールしてよい。基地局は、中継器xをスケジュールしかつ選択するとき、中継器xの直交する組T(x)を検索し、すなわち第1の中継器が選択した最適なプリコーディングコードブックの情報によって第2の中継器を選択する。組T(x)が空(null)でなければ、基地局は、第1の中継器と第2の中継器の直交性のルールに従って、T(x)の中継器yおよびxを選択してMU-MIMOの組(x、y)を構成する。この実施形態では、基地局の2つの中継器間の電力分配を通じて、システムスループットは、2つの中継器が同数の拡散コードチャネルを用いる場合に最大化される。この実施形態では、T(x)が空の場合、基地局は、中継器xの情報を中継器xに伝送し、中継器x用の拡散コードチャネルとデータチャネルの変調およびコーディングの情報とを伝送するのに1つのHS-SCCHを用いるが、これは従来技術に属することであり、この実施形態でさらに説明することはない。この実施形態では、中継器xは第1の中継器であり、中継器yは第2の中継器である。
【００３７】
303. 基地局は、中継器xおよび中継器yの識別子情報によって第1の結合識別子を取得して、第1の結合識別子によってHS-SCCHをスクランブルする。
【００３８】
この実施形態では、2つのMU-MIMO中継器(x、y)がスケジュールされる場合、基地局は、2つの中継器の制御チャネル情報を1つのHS-SCCHにカプセル化し、そのチャネルをスクランブルする。好ましくは、この実施形態では、HS-SCCHをスクランブルするのに2つの中継器の結合識別子が用いられる。結合識別子は、2つの中継器の識別子に対して結合演算f(x, y)を遂行することによって取得され、結合演算は、この実施形態では特に限定されない。具体的には、中継器xと中継器yの結合識別子は、XOR(x, y)演算を通じて取得されてよく、このことは本発明を限定するようには意図されていない。この実施形態では、第1の中継器と第2の中継器の結合識別子が第1の結合識別子として用いられる。
【００３９】
この実施形態では、HS-SCCHが2つの中継器の制御チャネル情報を含んでいるので、2つの中継器の制御チャネル情報は、2つの中継器の識別子xおよびyの値によって順序付けられてよい。あるいは、2つの制御チャネル情報の順番は、演算の前に循環的に1つのシーケンスをシフトすることにより、2つの中継器情報の位置を区別してもよい。xを1ビットずつ循環的に右シフトすることによって取得されたシーケンスがx1で示され、yを1ビットずつ循環的に右シフトすることによって取得されたシーケンスがy1で示される。中継器xの情報が中継器yの情報の前に配置されていれば、対応する結合識別子はf(x, y1)であり、中継器yの情報が中継器xの情報の前に配置されていれば、結合識別子はf(x1, y)である。もちろん、2つの中継器の制御チャネル情報を区別するための他の方法があり得、それらはこの実施形態によって特に限定されるものではない。
【００４０】
304. 基地局は、スクランブルされたHS-SCCHを中継器xおよび中継器yに送る。
【００４１】
この実施形態では、基地局は、中継器xの制御チャネル情報および中継器yの制御チャネル情報を1つのHS-SCCHにカプセル化して、HS-SCCHをスクランブルする。基地局は、中継器xの制御チャネル情報および中継器yの制御チャネル情報を、HS-SCCHを通じて中継器xおよび中継器yに送る。
【００４２】
305. 中継器xまたは中継器yは、基地局が送ったHS-SCCHを受け取ってデスクランブルし、対応する制御チャネル情報をそれぞれ取得する。
【００４３】
この実施形態では、中継器xは、RRC層の信号伝達のHS-SCCH設定情報を受け取った後に、その情報においてHS-SCCHに対応する拡散コードチャネルによって中継器識別子をデスクランブルする。好ましくは、中継器で結合識別子を盲目的にデスクランブルする複雑さを軽減するために、各中継器がそれぞれ選択された最適なコードブックを基地局にフィードバックした後、基地局は、それぞれの中継器の直交する中継器の組を取得して、対応する中継器に組の情報を信号伝達によって送ってよい。この場合、中継器xがチャネルのユーザ識別子をデスクランブルするとき必要とするのは、中継器xとT(x)の中継器との結合識別子を用いることだけである。その中継器は、中継器によって正確にデスクランブルされた識別子の種々の組合せの発生確率を順序付け、中継器識別子を、その順序に従って順次に盲目的にデスクランブルしてよい。この実施形態では、基地局は、排他的論理和演算によってHS-SCCHをスクランブルするのであれば、逆排他的論理和演算によってデスクランブルする必要がある。中継器識別子のデスクランブルは従来技術に属するものであり、この実施形態でさらに説明することはない。
【００４４】
この実施形態で、基地局が、それぞれの中継器に対してそれぞれの中継器の取得された直交する組を通知しない場合、たとえば中継器xのT(x)の組を通知する信号伝達がない場合、中継器xは、中継器によって正確にデスクランブルされた識別子の種々の組合せの発生確率を順序付け、中継器識別子を、その順序に従って順次に盲目的にデスクランブルする。この実施形態では、中継器xは受け取ったHS-SCCHを盲目的にデスクランブルする。用いられる中継器識別子には、xと、中継器rの結合中継器識別子f(x, r)とが含まれ、中継器xは、中継器rとともにMU-MIMOを遂行してよく、結合中継器識別子f(x, r)は、中継器xによって知られている。中継器rは、中継器yでよく、または他の中継器でもよい。HS-SCCHが正確にデスクランブルされ得ると、それはHS-SCCHが中継器xの情報を搬送することを示す。HS-SCCHが復調および復号され、含まれている情報によってデータチャネルが復調および復号される。中継器xが受け取ったHS-SCCHを正確にデスクランブルすることができなければ、HS-SCCHが中継器xの情報を搬送していないことを示し、そのHS-SCCHに関するそれ以上の処理は必要ではない。
【００４５】
当業者が、この実施形態によって提供される方法をよりよく理解するのを支援するために、以下のシミュレーションのシナリオが提供される。
【００４６】
基地局がカバーする7個のセルのそれぞれが3つのセクタを有し、それぞれのセクタが32人のユーザおよび10個の中継器を有すると想定されている。基地局のパワーは43dBmであり、中継器のパワーは33dBmであり、2つの近接した基地局の間の距離(ISD)は1732メートルであって、type3iの受信器が用いられる。中継器チャネルのモデルについては、TR36.814が参照されてよい。それぞれのセルにおける中継器の配置が図4に示されている。図4に示されるように、それぞれのサークルが中継器を示しており、基地局は3つのセクタの共通の頂点に配置されている。
【００４７】
このシステムは合計で2つの搬送波を用いる。搬送波割当ての解決策が図5に示されている。搬送波1は、基地局からすべての中継器への伝送および基地局から基地局が対応するユーザへの伝送のために用いられ、搬送波2は、それぞれの中継器から中継器が対応するユーザへの伝送のために用いられる。
【００４８】
シミュレーション比較の解決策。基地局から単一の中継器へはシングルストリーム伝送(SU-MIMO)が用いられ、それぞれの対の中継器が1つまたは2つの制御チャネルを用いる場合には、基地局から2つの中継器へはMU-MIMOが用いられる。
【００４９】
シミュレーションによって、次のことが得られる。表1に示されるように、基地局から中継器へMU-MIMO(one HS-SCCH)を用いると、基地局から中継器へSU-MIMOを用いるのと比較して平均ユーザスループットの11.81%の利得が達成され、1つのHS-SCCHを用いると、2つのHS-SCCHを用いるのと比較して平均ユーザスループットの6.57%の利得が達成される。ユーザスループットの統計の結果は、基地局から中継器へ1つのチャネル(チャネルモデルについてはTR36.814を参照されたい)が生成されるときに取得され得て、4回にわたって収集された統計の平均結果がTable 1(表1)に示されている。
【００５０】
【表１】
0005769282.tif 000002
【００５１】
本発明の実施形態の方法により、以下の有益な効果が提供される。基地局が2つの中継器に関するMU-MIMO伝送を遂行するとき、1つのHS-SCCHが2つのMU-MIMO中継器に対応することにより、限定されたHS-SCCHの占有が低減される。2つのMU-MIMO中継器のいずれかが1つのHS-SCCHを使用するモードと比較して、限定されたHS-SCCHによるデータコードチャネルの浪費がうまく低減され、したがってシステムスループットが改善される。一方、他の違法の装置の傍受を回避するために、識別子情報は、それぞれの中継器にブロードキャストされる前に暗号化されてよく、その結果、情報セキュリティが改善される。さらに、基地局は、それぞれの中継器の直交する中継器の組を取得した後、それぞれの中継器の直交する中継器の組をそれぞれの中継器に送り、その結果、それぞれの中継器が、直交する中継器の組の中継器との結合識別子を取得することができる。それぞれの中継器がHS-SCCHをデスクランブルするとき、盲目的にデスクランブルすることの複雑さを軽減することができ、その結果、デスクランブルの速度が向上する。
【００５２】
図6を参照して、本発明の一実施形態により、選択モジュール401、カプセル化モジュール402、および送信モジュール403を含む基地局が提供される。
【００５３】
選択モジュール401は、基地局が、第1の中継器をスケジュールするとき、第1の中継器が選択した最適なプリコーディングコードブックによって第2の中継器を選択するように構成されており、第2の中継器が選択した最適なプリコーディングコードブックは、第1の中継器が選択した最適なプリコーディングコードブックと直交する。
【００５４】
カプセル化モジュール402は、第1の中継器の制御チャネル情報および第2の中継器の制御チャネル情報を高速ダウンリンク共用制御チャネルHS-SCCHにカプセル化して、HS-SCCHをスクランブルするように構成されている。
【００５５】
送信モジュール403は、スクランブルされたHS-SCCHを第1の中継器および第2の中継器に送るように構成されている。
【００５６】
好ましくは、この実施形態では、カプセル化モジュール402には、
第1の中継器の識別子情報および第2の中継器の識別子情報によって第1の中継器と第2の中継器の第1の結合識別子を取得して、第1の結合識別子によってHS-SCCHをスクランブルするように構成されているスクランブルユニットが含まれる。
【００５７】
好ましくは、この実施形態では、スクランブルユニットには、
第1の中継器の識別子情報と第2の中継器の識別子情報に対する排他的論理和演算を遂行して第1の中継器と第2の中継器の第1の結合識別子を取得するように構成されている計算サブユニットが含まれる。
【００５８】
図7を参照して、この実施形態では、
基地局がさらに含むブロードキャストモジュール404は、第2の中継器の識別子情報を第1の中継器に送るように構成されており、その結果、第1の中継器は、第1の中継器の識別子情報および第2の中継器の識別子情報によって第1の結合識別子を計算することができ、また、スクランブルされたHS-SCCHを受け取った後に第1の結合識別子によってHS-SCCHをデスクランブルすることができる。
【００５９】
任意選択で、ブロードキャストモジュールは、第2の中継器の識別子情報を第1の中継器に送る前に、第2の中継器の識別子情報を暗号化するようにさらに構成されている。
【００６０】
この実施形態では、図7を参照して、基地局には、基地局が第1の中継器をスケジュールする前に、第1の中継器がフィードバックした最適なコーディングコードブック情報を受け取り、第1の中継器の最適なコードブック情報によって、第1の中継器の直交する中継器の組を取得するように構成されている受信モジュール405がさらに含まれる。
【００６１】
任意選択で、送信モジュールは、第1の中継器の直交する中継器の組を第1の中継器に送るようにさらに構成されており、その結果、第1の中継器が、直交する中継器の組の中継器の識別子情報によって第2の結合識別子の情報を取得することができ、また、スクランブルされたHS-SCCHを受け取った後に第2の結合識別子によってHS-SCCHをデスクランブルすることができる。
【００６２】
本発明の基地局の実施形態により、以下の有益な効果が提供される。基地局が2つの中継器に関する伝送を遂行するとき、1つのHS-SCCHが2つの中継器に対応することにより、限定されたHS-SCCHの占有が低減される。2つの中継器のいずれかが1つのHS-SCCHを使用するモードと比較して、限定されたHS-SCCHによるデータコードチャネルの浪費がうまく低減され、したがってシステムスループットが改善される。
【００６３】
図8を参照して、この実施形態は、受信モジュール501およびデスクランブルモジュール502を含む第1の中継器を提供する。
【００６４】
受信モジュール501は、基地局が送った高速ダウンリンク共用制御チャネルHS-SCCHを受け取るように構成されており、第1の中継器の制御チャネル情報および第2の中継器の制御チャネル情報がHS-SCCHにカプセル化され、第2の中継器が選択した最適なプリコーディングコードブックが、第1の中継器が選択した最適なプリコーディングコードブックと直交する。
【００６５】
デスクランブルモジュール502は、HS-SCCHをデスクランブルして第1の中継器の制御チャネル情報を取得するように構成されている。
【００６６】
好ましくは、この実施形態の方法は、HS-SCCHが、スクランブルするために第1の中継器と第2の中継器の第1の結合識別子を用いるとき、受信モジュール501は、基地局がブロードキャストした第2の中継器の識別子情報を受け取って、第1の中継器の識別子情報および第2の中継器の識別子情報によって、第1の中継器と第2の中継器の第1の結合識別子を取得するようにさらに構成されている。
【００６７】
デスクランブルモジュール502は、第1の結合識別子によってHS-SCCHをデスクランブルして第1の中継器の制御チャネル情報を取得するように特に構成されている。
【００６８】
図9を参照して、この実施形態では、HS-SCCHがスクランブルするために第1の中継器と第2の中継器の第1の結合識別子を用いるとき、第1の中継器には、
第1の中継器の最適なプリコーディングコードブック情報を基地局にフィードバックして、その結果、基地局が、第1の中継器の最適なプリコーディングコードブック情報によって第1の中継器の直交する中継器の組を取得するように構成されている送信モジュール503がさらに含まれ、
受信モジュール501は、基地局が送った第1の中継器の直交する中継器の組を受け取って、直交する中継器の組の中継器の識別子情報によって第2の結合識別子の情報を取得するようにさらに構成されており、
デスクランブルモジュールは、第2の結合識別子によってHS-SCCHをデスクランブルするように特に構成されている。
【００６９】
本発明の第1の中継器の実施形態により、以下の有益な効果が提供される。基地局が2つの中継器に関するMU-MIMO伝送を遂行するとき、1つのHS-SCCHが2つのMU-MIMO中継器に対応することにより、限定されたHS-SCCHの占有が低減される。第1の中継器および第2の中継器は、HS-SCCHを受け取った後にそれぞれHS-SCCHをデスクランブルして、対応する制御チャネル情報を取得する。2つのMU-MIMO中継器のいずれかが1つのHS-SCCHを使用するモードと比較して、限定されたHS-SCCHによるデータコードチャネルの浪費がうまく低減され、したがってシステムスループットが改善される。
【００７０】
図10を参照して、この実施形態は、制御チャネル情報を送受するシステムを提供するものであり、このシステムは、上記の基地局400および上記の第1の中継器500を含む。
【００７１】
選択モジュール401は、基地局が、第1の中継器をスケジュールするとき、第1の中継器が選択した最適なプリコーディングコードブックによって第2の中継器を選択するように構成されており、第2の中継器が選択した最適なプリコーディングコードブックは、第1の中継器が選択した最適なプリコーディングコードブックと直交する。
【００７２】
カプセル化モジュール402は、第1の中継器の制御チャネル情報および第2の中継器の制御チャネル情報を高速ダウンリンク共用制御チャネルHS-SCCHにカプセル化して、HS-SCCHをスクランブルするように構成されている。
【００７３】
送信モジュール403は、スクランブルされたHS-SCCHを第1の中継器および第2の中継器に送るように構成されている。
【００７４】
好ましくは、この実施形態では、カプセル化モジュール402には、第1の中継器の識別子情報および第2の中継器の識別子情報によって第1の中継器と第2の中継器の第1の結合識別子を取得して、第1の結合識別子によってHS-SCCHをスクランブルするように構成されているスクランブルユニットが含まれる。
【００７５】
好ましくは、この実施形態では、スクランブルユニットには、第1の中継器の識別子情報と第2の中継器の識別子情報に対する排他的論理和演算を遂行して第1の中継器と第2の中継器の第1の結合識別子を取得するように構成されている計算サブユニットが含まれる。
【００７６】
この実施形態では、
基地局がさらに含むブロードキャストモジュール404は、第2の中継器の識別子情報を第1の中継器に送るように構成されており、その結果、第1の中継器は、第1の中継器の識別子情報および第2の中継器の識別子情報によって第1の結合識別子を計算することができ、また、スクランブルされたHS-SCCHを受け取った後に第1の結合識別子によってHS-SCCHをデスクランブルすることができる。
【００７７】
任意選択で、ブロードキャストモジュールは、第2の中継器の識別子情報を第1の中継器に送る前に、第2の中継器の識別子情報を暗号化するようにさらに構成されている。
【００７８】
この実施形態では、基地局には、
基地局が第1の中継器をスケジュールする前に、第1の中継器がフィードバックした最適なコーディングコードブック情報を受け取り、第1の中継器の最適なコードブック情報によって、第1の中継器の直交する中継器の組を取得するように構成されている受信モジュール405がさらに含まれる。
【００７９】
任意選択で、送信モジュールは、第1の中継器の直交する中継器の組を第1の中継器に送るようにさらに構成されており、その結果、第1の中継器が、直交する中継器の組の中継器の識別子情報によって第2の結合識別子の情報を取得することができ、また、スクランブルされたHS-SCCHを受け取った後に第2の結合識別子によってHS-SCCHをデスクランブルすることができる。
【００８０】
第1の中継器500は、受信モジュール501およびデスクランブルモジュール502を含む。
【００８１】
受信モジュール501は、基地局が送った高速ダウンリンク共用制御チャネルHS-SCCHを受け取るように構成されており、第1の中継器の制御チャネル情報および第2の中継器の制御チャネル情報がHS-SCCHにカプセル化され、第2の中継器が選択した最適なプリコーディングコードブックが、第1の中継器が選択した最適なプリコーディングコードブックと直交する。
【００８２】
デスクランブルモジュール502は、HS-SCCHをデスクランブルして第1の中継器の制御チャネル情報を取得するように構成されている。
【００８３】
好ましくは、この実施形態の方法は、HS-SCCHが、スクランブルするために第1の中継器と第2の中継器の第1の結合識別子を用いるとき、受信モジュール501は、基地局がブロードキャストした第2の中継器の識別子情報を受け取って、第1の中継器の識別子情報および第2の中継器の識別子情報によって、第1の中継器と第2の中継器の第1の結合識別子を取得するようにさらに構成されている。
【００８４】
デスクランブルモジュール502は、第1の結合識別子によってHS-SCCHをデスクランブルして第1の中継器の制御チャネル情報を取得するように特に構成されている。
【００８５】
この実施形態の方法は、HS-SCCHがスクランブルするために第1の中継器と第2の中継器の第1の結合識別子を用いるとき、第1の中継器は、
第1の中継器の最適なプリコーディングコードブック情報を基地局にフィードバックして、その結果、基地局が、第1の中継器の最適なプリコーディングコードブック情報によって第1の中継器の直交する中継器の組を取得するように構成されている送信モジュール503をさらに含み、
受信モジュール501は、基地局が送った第1の中継器の直交する中継器の組を受け取って、直交する中継器の組の中継器の識別子情報によって第2の結合識別子の情報を取得するようにさらに構成されており、
デスクランブルモジュールは、第2の結合識別子によってHS-SCCHをデスクランブルするように特に構成されている。
【００８６】
本発明のシステムの実施形態により、以下の有益な効果が提供される。基地局が2つの中継器に関する伝送を遂行するとき、1つのHS-SCCHが2つの中継器に対応することにより、限定されたHS-SCCHの占有が低減される。2つの中継器のいずれかが1つのHS-SCCHを使用するモードと比較して、限定されたHS-SCCHによるデータコードチャネルの浪費がうまく低減され、したがってシステムスループットが改善される。
【００８７】
この実施形態によって提供される装置およびシステムは、具体的には方法の実施形態と同じ概念に属するものでよい。装置およびシステムの特定の実装形態は、方法の実施形態に詳細に説明されており、本明細書で繰り返し説明することはない。
【００８８】
当業者なら、これらの実施形態のステップのすべてまたは一部分が、ハードウェアによって、または関連するハードウェアに指示するプログラムによって遂行され得ることを理解するであろう。プログラムは、コンピュータ可読記憶媒体に記憶されてよい。記憶媒体は、読取り専用メモリ、磁気ディスク、または光ディスクなどでよい。
【００８９】
前述の説明は、本発明の例示的実施形態でしかないが、本発明を限定するように意図されたものではない。本発明の原理の範囲内で導出されるいかなる変更、等価な代替、または改善も、本発明の保護範囲に入るものとする。
【符号の説明】
【００９０】
400  基地局
401  選択モジュール
402  カプセル化モジュール
403  送信モジュール
404  ブロードキャストモジュール
405  受信モジュール
500  第1の中継器
501  受信モジュール
502  デスクランブルモジュール
503  送信モジュール
【図１】
0005769282.tif 000003
【図２】
0005769282.tif 000004
【図３】
0005769282.tif 000005
【図４】
0005769282.tif 000006
【図５】
0005769282.tif 000007
【図６】
0005769282.tif 000008
【図７】
0005769282.tif 000009
【図８】
0005769282.tif 000010
【図９】
0005769282.tif 000011
【図１０】
0005769282.tif 000012